(57)【要約】【課題】ホットスワップ方式による故障ハードディスクの交換を確実にかつ簡易にする。【解決手段】ハードディスク交換ユニット４は、故障ハードディスクに対応するキースイッチＤＩＳＫＡ、ＤＩＳＫＢがオン操作されたときに電源ユニット３から故障ハードディスクへの電源出力を遮断して故障ハードディスクの切り離しを可能とすると共にＣＰＵ１Ｂに制御信号を発生してミラーリングを中止し、故障ハードディスクから新たなハードディスクへの交換終了後、キースイッチがオフ操作されたときに電源ユニットから新たなハードディスクへの電源を供給すると共にＣＰＵに制御信号を発生してミラーリングの再開を許容する。【選択図】図１
2008210081.tif 000002
【特許請求の範囲】
【請求項１】
データ処理装置はそれで処理したデータを２台のハードディスクに同時に記録するミラーリング機能付きとし、前記ハードディスクに故障が発生したときに前記データ処理装置の電源オンのまま故障ハードディスクを新たなハードディスクに交換する故障ハードディスクの交換方式であって、
ハードディスク交換ユニットは、
前記ハードディスクに電源供給する電源ユニットの電源出力を両ハードディスクに個別に供給／遮断できる電源供給／遮断部と、前記データ処理装置のＣＰＵにハードディスクが新たに接続されたことを両ハードディスク別に通知する制御信号発生部と、ハードディスク別にした２つのキースイッチとを備え、
故障ハードディスクに対応する前記キースイッチがオフ操作されたときに前記電源ユニットから故障ハードディスクへの電源出力を遮断して故障ハードディスクの切り離しを可能とすると共に前記制御信号発生部から前記ＣＰＵに制御信号を発生してミラーリングを中止し、
故障ハードディスクから新たなハードディスクへの交換終了後、前記キースイッチがオン操作されたときに前記電源ユニットから新たなハードディスクへの電源を供給すると共に前記制御信号発生部から前記ＣＰＵに制御信号を発生してミラーリングの再開を許容することを特徴とする故障ハードディスクの交換方式。
【請求項２】
データ処理装置はそれで処理したデータを２台のハードディスクに同時に記録するミラーリング機能付きとし、前記ハードディスクに故障が発生したときに前記データ処理装置の電源オンのまま故障ハードディスクを新たなハードディスクに交換する故障ハードディスクの交換方法であって、
故障ハードディスクに対応するキースイッチがオフ操作されたときにハードディスク用の電源ユニットから故障ハードディスクへの電源出力を遮断して故障ハードディスクの切り離しを可能とすると共に前記ＣＰＵに制御信号を発生してミラーリングを中止し、
故障ハードディスクから新たなハードディスクへの交換終了後、前記キースイッチがオン操作されたときに前記電源ユニットから新たなハードディスクへの電源を供給すると共に前記ＣＰＵに制御信号を発生してミラーリングの再開を許容することを特徴とする故障ハードディスクの交換方法。
【発明の詳細な説明】
【技術分野】
【０００１】
本発明は、２台のハードディスクによるミラーリング機能付きデータ処理システムに係り、特に、１台のハードディスクが故障したときにデータ処理装置の電源オンのまま故障ハードディスクを交換する交換方式および交換方法に関する。
【背景技術】
【０００２】
ミラーリング機能は、パソコン等のデータ処理装置により処理したデータの複製を別の場所にリアルタイムで保存しておくことで、重要データの喪失から保護する。
【０００３】
２台のハードディスクによるミラーリングには、データ処理装置から同じデータを同時に２台のハードディスクに記録するようにしている。図３はミラーリング機能をもつデータ処理システムを示し、パソコン１にはシリアルＡＴＡインタフェース１Ａ（例えば、インテル製チップセットＩＣＨ７ＭＤ）を搭載し、ＳＡＴＡ仕様の２台のハードディスク２Ａ、２Ｂを用意し、ＣＰＵ１Ｂで処理したデータをインタフェース１Ａを通して２台のハードディスク２Ａ、２Ｂに同時に記録する。
【０００４】
ハードディスク２Ａ、２Ｂは、１つの筐体内に併設したミラーリング用ハードディスク装置としたものもある。電源ユニット３は、ハードディスク２Ａ，２Ｂに１２Ｖ／５Ｖの電源供給をするもので、パソコン１内に搭載する直流電源とするか、専用の外部電源として設けられる。
【０００５】
このようなミラーリング機能をもつデータ処理装置において、ハードディスクに故障が発生するとミラーリング機能を喪失する。ハードディスクの故障発生は、データ処理装置の操作画面上に故障ハードディスクのエラー状況を表示するか、ハードディスクのパネル面にＬＥＤ等のランプ点灯で報知する。
【０００６】
ハードディスクの故障表示があったとき、データ処理装置の実行を中断し、故障ハードディスクの交換を行う。この場合、データ処理装置の電源を一旦オフして故障ハードディスクを交換する手法がある。この手法において、データ処理装置の電源をオフしたときに、故障ハードディスクがどちらになるのか確認できない場合があるため、故障したハードディスクを特定できるデータをプリンタ等で印刷しておくものもある（例えば、特許文献１参照）。
【０００７】
一方、データ処理装置の電源をオンのまま、故障ハードディスクをデータ処理装置から切り離し、新しいハードディスクをデータ処理装置に接続することでハードディスクの再構築を行い（ホットスワップ）、ミラーリング機能を再開する手法がある（例えば、特許文献２参照）。
【特許文献１】特開２００６−２２７６８４号公報
【特許文献２】特開２００７−４８８５号公報
【発明の開示】
【発明が解決しようとする課題】
【０００８】
データ処理装置の電源をオンにしたままで故障ハードディスクを交換するには、電源ユニット３から故障ハードディスクへの電源供給を停止し、その後に故障ハードディスクとデータ処理装置１との間の接続ケーブルを外し、新しいハードディスクをデータ処理装置１にケーブル接続し、データ処理装置１のＣＰＵ１Ｂに対して新しいハードディスクが挿入されたことをソフトウェア的に認識させる設定操作を行うことになる。
【０００９】
このように、ホットスワップ方式による故障ハードディスクの交換には、多くの作業手順を要し、この手順を間違えると健全なハードディスクや新しいハードディスクに新たな故障を引き起こすおそれがあるし、電源ユニット３を故障させるおそれもある。また、データ処理装置側の再起動が必要となるなど、ホットスワップに失敗してしまい、データ処理装置がリアルタイム処理を行う場合にはその間の機能喪失になってしまう。
【００１０】
本発明の目的は、ホットスワップ方式による故障ハードディスクの交換を確実にかつ簡易にした故障ハードディスクの交換方式および交換方法を提供することにある。
【課題を解決するための手段】
【００１１】
本発明は、前記の課題を解決するため、故障ハードディスクの交換に際して必要な電源供給／遮断およびデータ処理装置への制御信号印加をキー操作のみで自動的に行うようにしたもので、以下の交換方式および交換方法を特徴とする。
【００１２】
（１）データ処理装置はそれで処理したデータを２台のハードディスクに同時に記録するミラーリング機能付きとし、前記ハードディスクに故障が発生したときに前記データ処理装置の電源オンのまま故障ハードディスクを新たなハードディスクに交換する故障ハードディスクの交換方式であって、
ハードディスク交換ユニットは、
前記ハードディスクに電源供給する電源ユニットの電源出力を両ハードディスクに個別に供給／遮断できる電源供給／遮断部と、前記データ処理装置のＣＰＵにハードディスクが新たに接続されたことを両ハードディスク別に通知する制御信号発生部と、ハードディスク別にした２つのキースイッチとを備え、
故障ハードディスクに対応する前記キースイッチがオフ操作されたときに前記電源ユニットから故障ハードディスクへの電源出力を遮断して故障ハードディスクの切り離しを可能とすると共に前記制御信号発生部から前記ＣＰＵに制御信号を発生してミラーリングを中止し、
故障ハードディスクから新たなハードディスクへの交換終了後、前記キースイッチがオン操作されたときに前記電源ユニットから新たなハードディスクへの電源を供給すると共に前記制御信号発生部から前記ＣＰＵに制御信号を発生してミラーリングの再開を許容することを特徴とする。
【００１３】
（２）データ処理装置はそれで処理したデータを２台のハードディスクに同時に記録するミラーリング機能付きとし、前記ハードディスクに故障が発生したときに前記データ処理装置の電源オンのまま故障ハードディスクを新たなハードディスクに交換する故障ハードディスクの交換方法であって、
故障ハードディスクに対応するキースイッチがオフ操作されたときにハードディスク用の電源ユニットから故障ハードディスクへの電源出力を遮断して故障ハードディスクの切り離しを可能とすると共に前記ＣＰＵに制御信号を発生してミラーリングを中止し、
故障ハードディスクから新たなハードディスクへの交換終了後、前記キースイッチがオン操作されたときに前記電源ユニットから新たなハードディスクへの電源を供給すると共に前記ＣＰＵに制御信号を発生してミラーリングの再開を許容することを特徴とする。
【発明の効果】
【００１４】
以上のとおり、本発明によれば、故障ハードディスクの交換に際して必要な電源供給／遮断およびデータ処理装置への制御信号印加をキー操作のみで自動的に行うようにしたため、ホットスワップ方式による故障ハードディスクの交換が確実にかつ簡易になる。
【発明を実施するための最良の形態】
【００１５】
図１は、本発明の実施形態を示すデータ処理システムの要部構成図である。同図が図３と異なる部分は、ハードディスク交換ユニット４を設けた点にある。
【００１６】
ハードディスク交換ユニット４は、電源ユニット３またはハードディスク２Ａ、２Ｂに付属の回路として一体的に搭載され、電源ユニット３の電源出力をハードディスク２Ａ，２Ｂに個別に供給／遮断できる回路と、データ処理装置１にハードディスクが接続されたことをＣＰＵ１Ｂに通知する制御信号発生回路を内蔵する。これら回路は、ハードディスク別にしたキースイッチＤＩＳＫＡ、ＤＩＳＫＢの操作に応じて起動される。
【００１７】
図２は、ハードディスク交換ユニット４の回路構成を示す。電源供給／遮断部１１，１２は、電源供給／遮断部１１に回路構成を示すように、入力端子１１Ａには電源ユニット３からの＋５Ｖ、＋１２Ｖを電源入力として導入し、パワーＦＥＴ１１Ｂ、１１Ｃのスイッチ動作で出力端子１１Ｄに＋５Ｖ、＋１２Ｖを取り出す。この出力端子１１Ｄからハードディスク２Ａに電源供給／遮断を行う。端子１１Ｅは、外部のキースイッチＤＩＳＫＡ，ＤＩＳＫＢの操作信号を取り込み、キースイッチＤＩＳＫＡがオフ操作されたときにパワーＦＥＴ１１Ｂ、１１Ｃをオフ動作（電源遮断）させる。ホトカプラ１１Ｆは、パワーＦＥＴ１１Ｃのオン／オフ動作状態を絶縁して取り出し、ハードディスク２Ａへの電源供給／遮断検出信号を発生する。以上までの回路構成は、電源供給／遮断部１２も同様になる。
【００１８】
バッファ１３，１４はホトカプラ１１Ｆからの検出信号出力を波形整形と電流増幅し、データ処理装置１のＣＰＵ１Ｂへ制御信号ＤＩＳＫ＿ＩＮ１＊（＊は負論理を示す）を印加する制御信号発生部になる。同様に、バッファ１５，１６は電源供給／遮断部１２の検出信号出力を波形整形と電流増幅し、データ処理装置１のＣＰＵ１Ｂへ制御信号ＤＩＳＫ＿ＩＮ２＊（＊は負論理を示す）を印加する。
【００１９】
以上の構成において、例えば、ハードディスク２Ａが故障発生し、新しいハードディスクに交換する場合、キースイッチＤＩＳＫＡがオフ操作されることで、電源供給／遮断部１１の電源遮断がなされ、故障ハードディスク２Ａを安全に切り離すことができる。このとき、バッファ１３，１４を通して電源遮断の制御信号がＣＰＵ１Ｂに印加され、ＣＰＵ１Ｂ側はその交換中を自動認識してミラーリングを中止する。
【００２０】
次に、新しいハードディスクをデータ処理装置１に接続した後、キースイッチＤＩＳＫＡがオン操作されることで、電源供給／遮断部１１の電源供給が始まり、バッファ１３，１４を通して電源供給の制御信号がＣＰＵ１Ｂに印加され、データ処理装置１では新しいハードディスクによるミラーリング機能を安全に再開を許容する。
【００２１】
したがって、故障ハードディスクの交換を行う場合には、故障発生したハードディスクがどちらかをデータ処理装置の画面または故障ハードディスクのパネル上のランプから知り、この故障ハードディスクに対応するキースイッチをオフ操作するのみでその電源を遮断、およびデータ処理装置には自動的に制御信号を印加して故障ハードディスクを安全に切り離すことができる。そして、新しいハードディスクに交換した後にキースイッチをオン操作するのみで新しいハードディスクへ自動的に電源供給し、データ処理装置には自動的に制御信号を印加してミラーリング機能を安全に再開できる。
【図面の簡単な説明】
【００２２】
【図１】本発明の実施形態を示すデータ処理システムの要部構成図。
【図２】ハードディスク交換ユニットの回路構成図。
【図３】ミラーリング機能をもつ従来のデータ処理システムの要部構成図。
【符号の説明】
【００２３】
１  データ処理装置
１Ａ  シリアルＡＴＡインタフェース
１Ｂ  ＣＰＵ
２Ａ、２Ｂ  ハードディスク
３  電源ユニット
４  ハードディスク交換ユニット
【図１】
2008210081.tif 000003
【図２】
2008210081.tif 000004
【図３】
2008210081.tif 000005